(57)【要約】【課題】熟練者でなくても簡単な作業により押え材の装着ができ、デッキ材の根太に対する固定作業が能率的にできるデッキ材固定装置を提供する。【解決手段】根太１の上にデッキ材２を載置し、隣接するデッキ材の対向面に形成してある溝に押え材を掛け渡し、隣接するデッキ材の間からねじ５を押え材に貫通して根太にねじ込むことによりデッキ材を根太に固定する装置において、前記押え材は、押え材１０の少なくとも一方のデッキ材２１  側の端部に弾性を有するクランプ２０が装着されたクランプ付き押え材Ａであり、先に根太に載置されるデッキ材の溝３１  に前記弾性を用いて押え材１０の一端部を嵌合してデッキ材に予め取付けられ、又は根太に固定したデッキ材の溝にクランプ付き押え材を取付けた後、後に根太に載置されるデッキ材２２  の溝３２  に押え材１０の他端部が嵌合された状態でねじ５を根太１にねじ込むようにした。【選択図】      図３
2004218311.tif 000002
【特許請求の範囲】
【請求項１】
根太の上にデッキ材を載置し、隣接するデッキ材の対向面に形成してある溝に押え材を掛け渡し、前記隣接するデッキ材の間からねじを前記押え材に貫通して前記根太にねじ込むことによりデッキ材を根太に固定する装置において、
前記押え材は、その少なくとも一方のデッキ材側の端部に弾性を有するクランプが装着されているクランプ付き押え材であり、前記根太に先に載置されるデッキ材の溝に前記クランプの弾性を用いて前記押え材の一端部を嵌合して前記デッキ材に予め取付けられ、又は根太に固定したデッキ材の溝に前記クランプ付き押え材を取付けた後、前記根太に後に載置されるデッキ材の溝に前記押え材の他端部が嵌合された状態で前記ねじが前記根太にねじ込まれることを特徴とするデッキ材固定装置。
【請求項２】
クランプ付き押え材のクランプは、デッキ材の溝に弾力的に嵌合して係止される被係止部と、押え材の端部を挟持する挟持部とを一体に有することを特徴とする請求項１に記載されたデッキ材固定装置。
【請求項３】
デッキ材の溝の開口を形成する上面と下面の少なくとも一方に、クランプの被係止部の先端を係止してその被係止部の溝からの抜脱を阻止する係止部が形成されていることを特徴とする請求項１又は２に記載されたデッキ材固定装置。
【請求項４】
押え材の幅方向中央にねじを貫通するための孔が形成され、前記押え材の上面に、前記孔の両側においてねじ倒れ防止用突縁が形成されていることを特徴とする請求項１，２又は３に記載されたデッキ材固定装置。
【請求項５】
押え材には、これをデッキ材に取付ける前からねじが仮螺着されていることを特徴とする請求項１，２，３又は４に記載されたデッキ材固定装置。
【発明の詳細な説明】
【０００１】
【発明の属する技術分野】
本発明は、例えばガーデンデッキ等において用いられるデッキ材固定装置、さらに詳しくは、根太の上にデッキ材を載置し、隣接するデッキ材の対向面に形成してある溝に押え材を掛け渡し、前記隣接するデッキ材の間からねじを前記押え材に貫通して前記根太にねじ込むことによりデッキ材を根太に固定する装置に関する。
【０００２】
【従来の技術】
図４は、比較的最近実施されているデッキ材固定装置の工程図である。
このデッキ材固定装置は、図４（ａ）に示すように、根太１の上に先に固定されたデッキ材２１  に後のデッキ材２２  の一端側を近接し、その際に、先のデッキ材２１  の溝３１  に押え材４の一端部を嵌合しながら、その押え材４の他端部を後のデッキ材２２  の溝３２  に嵌合し、後のデッキ材２２  を根太１の上面に載置した状態で図４（ｂ）に示すように先のデッキ材２１  方向に寄せて、押え材４によりそれ以上の移動を阻止することにより、隣接するデッキ材２１  ，２２  間に所定間隔を確保し、両デッキ材２１  ，２２  の間からねじ５を押え材４に貫通し根太１にねじ込むことにより、デッキ材２１  ，２２  …を順次根太に固定するものである。
【０００３】
【発明が解決しようとする課題】
上記先行技術による場合は、押え材４を単にデッキ材の溝に緩く嵌合するだけで装着するため、先のデッキ材２１  の溝３１  に押え材４の一端部を嵌合しながら、その押え材の他端部を後のデッキ材２２  の溝３２  に嵌合する際に、後のデッキ材に僅かのふらつきが生じても、押え材の両端部を隣接するデッキ材の溝に適切に嵌合することができないので、デッキ材の近接作業及び押え材の装着作業に慎重さと熟練が要求され、施工能率の向上に限界があった。
【０００４】
本発明は、上記の事情に鑑みてなされたものであり、その課題は、熟練者でなくても簡単な作業により押え材の装着ができ、デッキ材の根太に対する固定作業が能率的にできるデッキ材固定装置を提供することにある。
【０００５】
上記課題を解決するため、本発明は、根太の上にデッキ材を載置し、隣接するデッキ材の対向面に形成してある溝に押え材を掛け渡し、前記隣接するデッキ材の間からねじを前記押え材に貫通して前記根太にねじ込むことによりデッキ材を根太に固定する装置において、前記押え材は、その少なくとも一方のデッキ材側の一端部に弾性を有するクランプが装着されているものであり、かつ、先に前記根太に載置されるデッキ材の溝に前記弾性を用いて前記一端部を嵌合して前記デッキ材に予め取付けられ、又は根太に固定したデッキ材の溝に押え材を取付けた後、後に前記根太に載置されるデッキ材の溝に前記押え材の他端部が嵌合された状態で前記ねじが前記根太にねじ込まれることを特徴としている。
上記構成により、押え材は、隣接して固定されるデッキ材のうち、一方のデッキ材の溝に予め取付けて置くことができ、その一方のデッキ材を根太の上に載置した後、又は、一方のデッキ材を根太の上に載置して、そのデッキ材の溝に押え材を嵌着した後、隣接して固定されるデッキ材のうち、他方のデッキ材を根太の上に載置して一方のデッキ材に近接して、その溝に前記押え材の他端部を嵌合して両デッキ材の間に所定間隔を確保し、その間隙からねじを押え材に貫通して根太にねじ込むことにより、デッキ材を順次固定することができる。
【０００６】
クランプは、デッキ材の溝に弾力的に嵌合して係止される被係止部と、その被係止部に一体に成形され、押え材の端部を挟持する挟持部とを有するものであることが望ましい。
このような構成とした場合は、構造が簡単であるので、押え材を低コストで製造することができる。
【０００７】
デッキ材の溝の開口を形成する上面と下面の少なくとも一方に、クランプの被係止部の先端を係止する係止部が形成されていることが望ましい。
このような構成を備えた場合は、押え材のデッキ材の溝に対する装着を簡単確実に行うことができ、後のデッキ材の近接時に容易に脱落することを防止することができる。
【０００８】
押え材の幅方向中央にねじ貫通孔が形成され、前記押え材の上面に、前記ねじ貫通孔の両側においてねじ倒れ防止用突縁が形成されていることが望ましい。
上記構成により、デッキ材の間からねじを押え材にねじ込む際に倒れ易いねじの倒れがねじ倒れ防止用突縁により有効に防止されるため、デッキ固定能率が向上する。
【０００９】
押え材には、これをデッキ材に取付ける前からねじが仮螺着されていることが望ましい。とくに、ねじ倒れ防止用突縁が形成されている押え材に仮螺着されていることが望ましい。
上記構成により、押え材を取付けたデッキ材に後のデッキ材を近接した後、直ちにねじを根太にねじ込んで、隣接するデッキ材を簡単迅速に固定することができる。
【００１０】
【発明の実施の形態】
次に、本発明の実施の形態について、図面を用いて説明する。
図１は本発明において用いられるクランプ付き押え材の正面図、図２はクランブ付き押え材の分解斜視図、図３は図１のクランプ付き押え材を用いてデッキ材を根太に固定する過程を示す正面図であり，（ａ）はねじを根太にねじ込む前、（ｂ）はねじ込んだ後の状態を示す。図４の構成部材と共通の構成部材には同一の符号を用いる。
【００１１】
図１において、Ａは本発明において用いられるクランプ付き押え材の一例であり、少なくとも押え材１０とこれに装着されるクランプ２０とからなっている。
【００１２】
押え材１０は、好ましくはアルニウム等の金属押出し形材を根太１の幅とほぼ等しい長さ寸法に切断して作られている。そして、押え材１０の幅方向中央に平行に起立する一対のねじ倒れ防止用突縁（以下、単に突縁という。）１１が設けられており、その突縁の間で突縁の長手方向中央において押え材を上下方向に貫通して、ねじを貫通するための孔１２が設けられている。突縁１１は好ましくは、倒立Ｌ字形に形成されて水平部を対向させてあり、孔１２の上方部分において、孔１２に貫通されるねじの軸の外周の一部と螺合するように形成された円弧１３が設けられている。従って、押え材１０の上方からねじ５を孔１２に向けて回転しながら押し下げると、そのねじは円弧１３部分に軽くねじ込まれながら、孔に挿通された状態で円弧１３部分に保持される（この状態を仮螺着という。）すなわち、ねじ５を脱落させずに保持することができるようになっている。
なお、ねじ５を仮螺着するためには、突縁１１の断面形状は任意である。
【００１３】
クランプ２０は、押え材１０の幅方向の少なくとも一端側に装着される。このクランプ２０は、根太１に隣接して固定されるデッキ材の端部に互いに対向して開口するように形成されている溝３１  ，３２  に、クランプ自身の弾性を利用して嵌着することができるものである。
【００１４】
クランプ２０を押え材１０に装着するための構造は、とくに制限されない。ねじ止めも可能である。図示の好ましい実施の形態の場合は、装着作業の簡易化及び製造コスト低減のため、クランプ２０は、一例として、図２に良く示されているように、断面形状がほぼコ字形の薄鋼板で作られ、両端部の斜め上方と斜め下方に延びる被係止部２１，２２と、それらの被係止部の間の部分のコ字形の上下辺を水平に形成してなる挟持部２３とを一体に有している。
【００１５】
本発明によるデッキ材固定装置においては、押え材１０を用いてデッキ材を根太に固定するには、図１に示すように、予めクランプ２０の挟持部２３に押え材１０の幅方向一端部を押入することにより、押え材１０にクランプ２０を嵌着して、クランプ付き押え材Ａを構成して置く。また、好ましくは、押え材１０にねじ５を仮螺着しておく。
【００１６】
上記のクランプ付き押え材Ａを用いて、デッキ材を根太に固定するには、図３（ａ）に示すように、先に固定されるデッキ材２１  の溝３１  にクランプ２０の被係止部２１，２２をその弾性を利用して嵌着して、押え材１０をデッキ材２１  に取付け、そのデッキ材２１  を根太１の上面の所定位置に静置する。デッキ材２１  を根太１の所定位置に静置した後、そのデッキ材の溝３１  にクランプ２０の被係止部２１，２２を嵌着して、クランプ付き押え材Ａをデッキ材２１  に取付けるようにしてもよい。
この時、必要により、ねじ５を僅かに右又は左に回して、押え材１０が水平になるように高さ調整を行う。根太１に載置された時のデッキ材の溝３を形成する下壁の上面からデッキ材の上面までの距離を知っている場合は、ねじ５の仮螺着の際に、そのねじの押え材の下面からの突出量を前記距離と一致させておけば、デッキ材載置後の押え材の高さ調整は不要である。
【００１７】
各デッキ材の溝３の上壁と下壁に、クランプの背面が溝３の内端に当接するまで押入された時に被係止部２１，２２の先端を係止させる係止部６１  ，６２  が形成してある場合は、クランプ２０をデッキ材２の溝３に嵌着した後は、デッキ材の取扱中に又はねじ５の高さ調整中に、クランプ２０が溝３から容易に脱出することを防止することができるので、望ましい。
【００１８】
続いて、隣のデッキ材２２  を根太１の上面に載せ、先のデッキ材２１  に取付けてあるクランプ付き押え材Ａの押え材１０の他端部がデッキ材２２  の溝３２  の内端に当たって止められるまで、後のデッキ材２２  を先のデッキ材２１  方向に摺動する（図３（ａ））。こうして、押え材の両端部が隣接するデッキ材に当たって互いにそれ以上接近できない状態となるので、隣接するデッキ材２１  ，２２  の間には所定間隔が確保される。
【００１９】
この所定間隔が確保された状態で、両デッキ材２１  ，２２  の間から工具を挿入して仮螺着されているねじ５を図３（ｂ）に示すように根太１にねじ込むことにより、デッキ材２１  ，２２  が根太１に固定される。
デッキ材２２  に続く他のデッキ材も他のクランプ付き押え材を用いて同様にして順次固定して、デッキを構成することができる。
【００２０】
【発明の効果】
上述のように、本発明によれば、押え材の装着作業及びねじのねじ込み作業が、熟練者でなくても簡単にでき、デッキの施工能率が向上する。
【図面の簡単な説明】
【図１】本発明において用いられるクランプ付き押え材の正面図。
【図２】クランブ付き押え材の分解斜視図。
【図３】図１のクランプ付き押え材を用いてデッキ材を根太に固定する過程を示す正面図。
【図４】従来技術の一例のデッキ材固定工程図。
【符号の説明】
１          根太
２１  ，２２   デッキ材
３１  ，３２   溝
Ａ    クランプ付き押え材
１０    押え材
１１  ねじ倒れ防止用突縁
１２  ねじ貫通孔
２０    クランプ
２１，２２    被係止部
２３    挟持部
５      ねじ
６１  ，６２   溝に設けられた係止部
【図１】
2004218311.tif 000003
【図２】
2004218311.tif 000004
【図３】
2004218311.tif 000005
【図４】
2004218311.tif 000006